(57)【要約】  モータ；洗濯物が収容され、筒形状のドラムセンタとドラムセンタの一側開口部と連結されて背面を形成するドラムバックとを含んでなるドラム；背面に装着されるコネクタ及びコネクタに連結されてモータの回転力をドラムに伝達する回転軸；を備えるドラム洗濯機において、ドラムバックは、ドラムセンタの一側開口部からドラム外側に拡張されるドラム拡張部を持つように全体的に鉢形状に形成され、ドラムバックにおいてコネクタの装着される部分は、ドラムセンタとコネクタとの間隔を縮めるためにドラム内側に凹入される構成として、ドラムの構造及び製造方法を改善し、大容量に見合うドラムを提供しながらもドラムの大型化による問題点を解決する一方、製品の外観サイズ増大を防止する。【選択図】図１
2009506797.tif 000002
【特許請求の範囲】
【請求項１】
モータ；洗濯物が収容され、筒形状のドラムセンタと該ドラムセンタの一側開口部と連結されて背面を形成するドラムバックとを含んでなるドラム；前記背面に装着されるコネクタ及び前記コネクタに連結されて前記モータの回転力を前記ドラムに伝達する回転軸；を備えるドラム洗濯機であって、
前記ドラムバックは、前記ドラムセンタの一側開口部からドラム外側に拡張されるドラム拡張部を持つように全体的に鉢形状に形成され、
前記ドラムバックにおいて前記コネクタが装着される部分は、前記ドラムセンタと前記コネクタとの間隔を縮めるために前記ドラム内側に凹入されることを特徴とする、
ドラム洗濯機。
【請求項２】
前記ドラムセンタの内径と前記ドラムセンタの一側開口部と連結される前記ドラムバック縁部の内径は、ほぼ同一であることを特徴とする、請求項１に記載のドラム洗濯機。
【請求項３】
前記ドラムバック縁部は、前記ドラムの中心軸と平行な所定長さの直線部を含むことを特徴とする、請求項２に記載のドラム洗濯機。
【請求項４】
前記ドラムバック周縁と前記ドラムバック背面は、ラウンド状につながることを特徴とする、請求項２または３に記載のドラム洗濯機。
【請求項５】
前記コネクタは、放射状に複数個の脚部を持つスパイダであることを特徴とする、請求項１に記載のドラム洗濯機。
【請求項６】
内部に前記ドラムが回転可能に備えられ、背面部に前記回転軸が貫通され、前記背面部の一部は後方に拡張されてタブ拡張部が形成されたタブをさらに備えることを特徴とする、請求項４に記載のドラム洗濯機。
【請求項７】
前記タブの背面部には前記モータが装着されて前記回転軸と連結され、前記タブ拡張部は、前記タブの背面部のうち、前記モータの装着されない部分が後方に拡張されて形成されることを特徴とする、請求項６に記載のドラム洗濯機。
【請求項８】
前記タブは、前記ドラム洗濯機の底面に対して一定角度傾斜して設置されることを特徴とする、請求項７に記載のドラム洗濯機。
【請求項９】
前記ドラムはステンレス材質からなり、ドラムフロント及びドラムセンタの厚さは０．５ｍｍであり、前記ドラムバックの厚さは１ｍｍであることを特徴とする、請求項４に記載のドラム洗濯機。
【請求項１０】
前記ドラムバックの深さとドラムバックの直径の比率は、０．０８〜０．２であることを特徴とする、請求項９に記載のドラム洗濯機。
【請求項１１】
前記ドラムバックの深さとドラムセンタの長さの比率は、０．１８〜０．３６であることを特徴とする、請求項９に記載のドラム洗濯機。
【請求項１２】
前記ドラムフロントの長さ：ドラムセンタの長さ：ドラムバックの深さは、１：８．３：１．５〜１：９．７：２．７であることを特徴とする、請求項９に記載のドラム洗濯機。
【請求項１３】
前記ドラムセンタの内径は、５００〜６００ｍｍに形成されることを特徴とする、請求項９に記載のドラム洗濯機。
【請求項１４】
前記ドラム内側には、平面上で見ると全体的な形状が前方部から後方部に行くほど広くなる三角形状のリフタが備えられ、
前記リフタは、
前方から後方に至る中心部に沿って形成され、その幅が下部面幅に比べて狭い形態に前記下部面に対して突出して形成されるボール設置部と、
前記ボール設置部の両側後方に形成され、前記下部面から前記ボール設置部上面にまで連結されるＳ字状の勾配面と、
前記ボール設置部上に回転自在に設置されるボールと、
前記ボール設置部上に形成される洗濯水出入穴と、
を備えてなることを特徴とする、請求項４に記載のドラム洗濯機。
【請求項１５】
外観を形成するキャビネットと、
前記キャビネット後面から前記ドラム後方への接近のための接近口を閉鎖し、上部領域に後方に突出された突出部が形成されたバックカバーをさらに備えることを特徴とする、請求項４に記載のドラム洗濯機。
【請求項１６】
前記ドラムは、前記ドラムセンタと連結されて前記ドラムの開口部をなすドラムフロントをさらに備え、
前記ドラムフロントは、前方最小内径部、後方最大内径部、及び、前記前方最小内径部と後方最大内径部とをつなぐ傾斜部を備えることを特徴とする、請求項４に記載のドラム洗濯機。
【請求項１７】
前記傾斜部には、前方に拡張されたドラムフロント拡張部が形成されることを特徴とする、請求項１６に記載のドラム洗濯機。
【請求項１８】
金属板材である母材をプレスして全体的には鉢形状とし、また、底面の一定領域が上部に突出されるように形成するフォーミング段階と、
鉢形状のドラムバック形成のために不要な部分を除去するトリミング段階と、
前記底面の上部に突出された部分以外の領域に洗濯水の出入のための複数個の穴を形成するピアシング段階と、
を含む、ドラム洗濯機用ドラムの製造方法。
【請求項１９】
前記ピアシング段階と同時に、または、前記ピアシング段階後に、前記底面にスパイダ締結のための複数個の締結穴を形成する締結穴形成段階をさらに含むことを特徴とする、請求項１８に記載のドラム洗濯機用ドラムの製造方法。
【請求項２０】
前記トリミング段階、ピアシング段階及び締結穴形成段階のうち、少なくともいずれか一段階の後には、残留するバーを除去するバー除去段階をさらに含むことを特徴とする、請求項１８に記載のドラム洗濯機用ドラムの製造方法。
【請求項２１】
請求項１８乃至２０のいずれか１項の製造方法によって製造された、ドラム洗濯機用ドラム。
【発明の詳細な説明】
【技術分野】
【０００１】
本発明は、ドラム洗濯機に係り、特に、ドラムの構造及び製造方法を改善して大容量に見合うドラムを提供しながらも、ドラムの大型化に起因する問題点を解決する一方、製品の外観サイズ増大を防止することに関する。
【背景技術】
【０００２】
一般に、洗濯機は、水と洗剤の作用を用いて衣服、寝具など（以下、‘布’と総称する。）に付いた汚染を除去するように、洗い・すすぎ・脱水などのプロセスによって洗濯物を洗浄する。
【０００３】
このような洗濯機は、大きく、洗濯槽の回転軸が地面に垂直なタイプと水平なタイプとに区分されるが、洗濯槽の回転軸が地面に垂直なタイプには撹はん式（ａｇｉｔａｔｏｒ  ｔｙｐｅ）と渦流式（ｐｕｌｓａｔｏｒ  ｔｙｐｅ）があり、洗濯槽の回転軸が地面に水平なタイプにはドラム式（ｄｒｕｍ  ｔｙｐｅ）洗濯機がある。
【０００４】
各タイプについて説明すると、撹はん式は、洗濯槽の中央から突出した洗濯棒を左右に回転させるもので、叩き洗いの効果を奏し、渦流式は、洗濯槽の下部に形成された円板状の回転翼を左右に回転させ、水流と洗濯物との間の摩擦力を用いて洗濯し、ドラム式は、内面に複数のリフタ（ｌｉｆｔｅｒ）が突設されたドラムの内部に、水、洗剤及び布を入れた状態でドラムを回転させ、洗剤の化学作用及び落差による衝撃力を用いて洗濯する。
【０００５】
周知の如く、ドラム洗濯機は、外観を形成するキャビネットの内部に、洗濯水の満たされるタブが装着され、タブの内側に布が収容されるドラムが配置され、タブの背面側にドラムを回転させるためのモータが取り付けられ、モータにタブを貫通してドラムの背面側に連結される回転軸が軸設される。
【０００６】
一方、最近では、ドラム洗濯機が一般の渦流式洗濯機に比べて水消耗量が小さく、布傷み・布絡みが少ない他、ビルト−インタイプに台所のシンク台等への作りつけが可能な点、及び、消費トレンドなどから、人気及び需要が急増してきている。
【０００７】
なお、これまでは通常、６〜８ｋｇ容量級のドラム洗濯機が多く普及してきたが、嵩のはるふとんなどの洗濯や多量の洗濯を一挙にしたい欲求など、消費者の洗濯パターンの変化に応じてドラム洗濯機の洗濯容量は大型化してきた。特に、既存の小容量のものを好んできた北米市場でも１３ｋｇ製品が人気を呼んでいる等、ドラム洗濯機はますます大型化している。
【０００８】
一方、このようなドラム洗濯機の大型化にはドラムの大型化が必須とされるが、これは、ドラムの内部容積によって容量が決定されるためである。
【０００９】
しかしながら、ドラムの容量を単にドラムの直径や前後長さを増加するだけで増加させるには、技術面且つ費用面で容易ではない。これは、ドラムの直径や前後長さを単純に増やすと、ドラムとタブの衝突を考慮してタブの直径や前後長さも増えることになり、これによりキャビネットの大きさも全体的に増加するため、製造コストが増加し、洗濯機全体が余分に大きくなるという問題点があるためである。
【００１０】
すなわち、基本的に、振動発生時にキャビネットとの衝突を避けるために設けられた余裕間隔を活用するとしても、既存の製品と同じ外形で内部の洗濯槽の大きさを増加させることは容易ではない。
【００１１】
なお、このドラム製造に必要な構成は様々な仕様にも適用可能にすることが、ドラム製造費の低減に有利である。これは、大容量のドラム製造に従来とは異なる特別構成が要求されると、その分、大容量ドラムの製造コストが増加するためである。
【００１２】
このように、ドラム洗濯機の容量増大が容易でないことを、ドラム洗濯機の開発過程から確認したところ、９０年代中ごろまではヨーロッパの洗濯機製造メーカがドラム洗濯機市場のシェアを殆ど占めていたが、ヨーロッパのドラム洗濯機の容量限界は、６ｋｇであった。その理由は、洗濯機のモータ回転数の調節ができず、クラッチとベルトが入る空間が必要とされたためである。
【００１３】
要するに、ドラム洗濯機は、水消耗量及び布傷みが少ない反面、その容量増大は色々な条件によって多くの制約を受けてきた。
【発明の開示】
【発明が解決しようとする課題】
【００１４】
本発明は上記従来技術の問題点を解決するためのもので、その目的は、ドラム洗濯機の外観サイズの変化なしに既存の大容量ドラム洗濯機よりも大きい容量を確保できるドラム洗濯機を提供することにある。
【００１５】
本発明の他の目的は、最小限のドラム構成変更だけでドラムの容量を増大させることができるドラム洗濯機を提供することにある。
【００１６】
本発明のさらに他の目的は、洗濯容量を左右するドラム構造の改善によってドラムの容積を増やしながらもスパイダ締結部の強度確保及び振動制御が可能なドラム洗濯機を提供することにある。
【００１７】
すなわち、本発明は、既存の大容量ドラム洗濯機の外観サイズ及びドラムの強度を維持し、ドラムセンタのような多くの部分を共用化しながらも洗濯容量を拡張できるドラム洗濯機を提供することに目的がある。
【００１８】
一方、本発明のさらに他の目的は、上記のドラム洗濯機に適用されるドラムとその製造方法を提供することにある。
【課題を解決するための手段】
【００１９】
上記の目的を達成する本発明は、モータ；洗濯物が収容され、筒形状のドラムセンタとドラムセンタの一側開口部と連結されて背面を形成するドラムバックとを含んでなるドラム；背面に装着されるコネクタ及びコネクタに連結されてモータの回転力をドラムに伝達する回転軸；を備えるドラム洗濯機であって、ドラムバックは、ドラムセンタの一側開口部からドラム外側に拡張されるドラム拡張部を持つように全体的に鉢形状に形成され、ドラムバックにおいてコネクタが装着される部分は、ドラムセンタとコネクタとの間隔を縮めるためにドラム内側に凹入される構成とした。
【００２０】
ここで、ドラムセンタとコネクタとの間隔は、全体的なドラム洗濯機の外形サイズ、特に、前後幅を決定するのに非常に重要である。なぜなら、ドラムセンタとコネクタとの間の間隔を大きくするとドラム容量が増加することは当然であり、これにより、ドラム洗濯機の前後幅は増加せざるを得ない。
【００２１】
しかしながら、前述したように、ドラム洗濯機の前後幅を、前述した従来のドラム洗濯機における前後幅とほぼ同一にするために、ドラムバックにおいてコネクタが装着される部分は、ドラム内側に凹入されることが好ましい。
【００２２】
ここで、ドラムセンタの内径とドラムセンタの一側開口部と連結されるドラムバック縁部の内径とはほぼ同一であることが好ましく、ドラムバック縁部は、ドラムの中心軸と平行な所定長さの直線部を含むことができる。
【００２３】
すなわち、ドラムセンタとドラムバックは互いに直角で連結されないことが好ましい。言い換えると、円筒の下面を平面として閉じるよりは、鉢形状の曲面で閉じることが全体的な円筒容量を増大させるのに有利となる。
【００２４】
なお、ドラムバック縁部から最も遠く離れたドラムバックの背面（ドラム拡張部の末端）までの長さが一定であれば、ドラムバック縁部は回転軸と平行に所定長さの直線部を持つことが好ましい。なぜなら、このような直線部によって拡張部の容量をより高めることができるためである。
【００２５】
一方、ドラムバック縁部とドラムバック背面はラウンド状につながることが好ましい。これは、前述したコネクタの装着される凹入部分を容易に形成するためであり、また、水に濡れた洗濯布の折り重なる性質から四角い形状よりはラウンド状に密着されることが、布傷みの低減に効果的であるためである。
【００２６】
もちろん、このようなラウンド形状は、後述するタブとの関係においてドラムとタブとの干渉を最小化し、タブの容量を確保可能にするためでもある。
【００２７】
コネクタは、放射状に複数個の脚部を持つスパイダであることが好ましい。このようなスパイダは、スパイダとドラムを結合させる結合部（例えば、ボルティング部）だけでなく、ドラムに型合されるスパイダの脚部によって、より安全で確実に回転軸の回転力をドラムに伝達する機能を果たす。しかし、本発明では、必ずしもコネクタはスパイダに限定されるわけではない。
【００２８】
一方、本発明は、内部にドラムが回転可能に備えられ、背面部に回転軸が貫通され、背面部の一部は後方に拡張されてタブ拡張部が形成されたタブをさらに備える。
【００２９】
タブの背面部には、モータが装着されて回転軸と連結され、タブ拡張部は、タブの背面部のうち、モータの装着されない部分が後方に拡張されて形成されることが好ましい。すなわち、ドラムの拡張部に対応してタブにも拡張部が形成されることが好ましい。
【００３０】
ここで、タブは、ドラム洗濯機の底面に対して一定角度傾斜して設置されることができる。もちろん、この場合、タブ内部に収容されるドラムもこれに対応して一定角度傾斜して設置されることが好ましい。
【００３１】
一方、ドラムはステンレス材質とし、ドラムフロント及びドラムセンタの厚さは０．５ｍｍ、ドラムバックの厚さは１ｍｍとすることが好ましく、ドラムバックの深さ（ｄ）とドラムバックの直径（Ｄ）との比率（ｄ／Ｄ）は、０．０８〜０．２とすることが好ましい。
【００３２】
ここで、ドラムバックの深さは、ドラムバックの縁部から最大限に拡張された部分までの距離を意味する。
【００３３】
また、ドラムバックの深さ（ｄ）とドラムセンタの長さ（Ｌ２）との比率は、０．１８〜０．３６とすることが好ましく、ドラムフロントの長さ（Ｌ１）:ドラムセンタの長さ（Ｌ２）:ドラムバックの深さ（ｄ）（Ｌ１：Ｌ２：ｄ）は、１:８．３:１．５〜１:９．７:２．７であることが好ましい。そして、ドラムセンタの内径は５００〜６００ｍｍにすることが好ましい。
【００３４】
また、ドラム内側には、平面上で見るとき全体的な形状が前方部から後方部に行くにつれて順次広くなる三角形状のリフタが備えられることが好ましい。より具体的には、リフタは、前方から後方に至る中心部に沿って形成され、その幅が下部面幅に比べて狭い形状に下部面に対して突出して形成されるボール設置部と、ボール設置部の両側後方に形成され、下部面からボール設置部の上面にまで連結されるＳ字状の勾配面と、ボール設置部上に回転可能に設置されるボールと、ボール設置部上に形成される洗濯水出入穴とを備えてなることが好ましい。
【００３５】
本発明は、外観を形成するキャビネットと、キャビネットの後面からドラム後方への接近のための接近口を閉鎖し、上部領域に後方に突出された突出部が形成されたバックカバーとをさらに備えることが好ましい。なぜなら、一般に、ドラム洗濯機の後方は壁と一定距離離間して設置されるが、全体的なドラム洗濯機のサイズを増大させず、バックカバーの突出部を用いてドラムとモータとの間の間隔を増大させることができるためである。
【００３６】
一方、ドラムは、ドラムセンタと連結されてドラムの開口部をなすドラムフロントをさらに備え、ドラムフロントは、前方最小内径部、後方最大内径部及び前方最小内径部と後方最大内径部とを連結する傾斜部を含むことが好ましい。そして、傾斜部には、前方に拡張されたドラムフロント拡張部が形成されることが好ましい。なぜなら、傾斜部外側の所定部分は、キャビネットとの関係において無意味な空間となり、よって、このような空間を減らして代わりにドラムの容量を増やすことができるためである。
【００３７】
一方、本発明は、このような大容量ドラムを形成する製造方法を提供する。より具体的には、上記の大容量ドラムの製造方法は、金属板材である母材をプレスして全体的には鉢形状にするものの、底面の一定領域が上部に突出されるように形成するフォーミング段階と、鉢形態のドラムバック形成のために不要な部分を除去するトリミング段階と、底面の上部に突出された部分以外の領域に洗濯水の出入のための複数個の穴を形成するピアシング段階とを含んでなることが好ましい。
【００３８】
ここで、ピアシング段階と同時に、または、ピアシング段階の後に、底面にスパイダ締結のための複数個の締結穴を形成する締結穴形成段階をさらに含むことが好ましい。
【００３９】
そして、トリミング段階、ピアシング段階及び締結穴形成段階のうち、少なくともいずれか一段階の後には、残留するバーを除去するバー除去段階をさらに含むことが好ましい。
【００４０】
最後に、本発明は、上記の製造方法によって製造されたドラム洗濯機用ドラムを提供する。
【発明の効果】
【００４１】
本発明のドラム洗濯機によれば、ドラムの背面部においてスパイダの配置される部分以外にドラム拡張部が形成されるため、ドラム拡張部によって拡大された空間分だけ容量を増やすことができ、タブの背面部においてモータの配置される部分以外にタブ拡張部が形成されるため、ドラムの過振動時に生じうるドラム拡張部の衝突を最小限に抑えることが可能になる。
【００４２】
なお、ドラムセンタとドラム拡張部を形成するドラムバックとの連結部分の内径をほぼ同一にしたため、ドラム拡張部の拡張領域を最大限に確保することができる。
【００４３】
本発明のドラム洗濯機によれば、ドラム拡張部がドラム背面部の剛性を向上させ、タブ拡張部がタブ背面部の剛性を向上させるため、ドラム及びタブ振動を低減することが可能になる。
【００４４】
また、本発明のドラム洗濯機によれば、ドラムの回転時に布の一部が、ドラム拡張部とドラム内部に凹入されたスパイダ締結部に沿って回りながら摩擦されるので、洗い及びすすぎ性能が増大するという利点が得られる。
【００４５】
すなわち、本発明によるドラム洗濯機の外観サイズの変化なしに既存の大容量ドラム洗濯機よりも大きい容量を確保することが可能になる。
【００４６】
なお、本発明のドラム洗濯機によれば、ドラムにおいて中間部分を占めるドラムセンタなど多くの構成をドラム洗濯機容量によらず共用化しながらもドラムの容量を増大させることが可能になる。したがって、多様な容量のドラム洗濯機の製造において製造コストを節減するという効果が得られる。
【００４７】
要するに、本発明によれば、洗濯容量を左右するドラムの構造を改善したため、製品の外観サイズの変化なしにドラムの容積を増やしながらもスパイダ締結部の強度確保及び振動制御が可能なドラム洗濯機を提供することが可能になる。
【発明を実施するための最良の形態】
【００４８】
以下、本発明の好適な実施例を、添付の図面を参照しつつ詳細に説明する。
【００４９】
図１は、本発明の第１実施例によるドラム洗濯機の内部構成を示す断面図であり、図２は、図１に示すドラム及びタブの分解斜視図である。
【００５０】
本発明によるドラム洗濯機は、図１及び図２に示すように、キャビネット２に支持されたタブ１０と、タブ１０の内側に回転可能に配置されたドラム２０と、ドラム２０の背面に装着されたスパイダ３０と、タブ１０の背面に装着されたモータ４０と、モータ４０に軸設され、タブ１０の背面部を貫通してスパイダ３０に連結された回転軸５０と、を備えて構成される。
【００５１】
キャビネット２は、ベース板３と、このベース板３の上側に設置されたキャビネット本体４と、キャビネット本体４の前面に設置されたキャビネットカバー５と、キャビネット本体４の上面に設置されたトッププレート９と、を備えて構成される。
【００５２】
キャビネットカバー５には、ドラム２０の内部に布ｍが出入できるように布出入口６が形成され、この布出入口６を開閉するドア７がヒンジで回動可能に取り付けられる。
【００５３】
このキャビネットカバー５の上側またはトッププレート９の上面には、洗濯機の各種行程や時間などを入力するためのコントロールパネル８が設置される。
【００５４】
タブ１０は、内側下部に布ｍの洗いまたはすすぎに必要な洗濯水ｗが満たされ、布ｍの脱水時に布ｍから脱水された水が集まるので、水平または所定角度傾斜して配置された円筒からなり、前面側にはドラム２０の内部に布ｍが出入できるように開口穴１１が形成される。
【００５５】
タブ１０は、キャビネット本体４にバネ１２で垂設され、ベース板３にダンパ１３にて支持され、キャビネット２の内部に緩衝可能に配置される。
【００５６】
タブ１０には、布ｍまたは洗濯水ｗが、タブ１０、キャビネットカバー５及びドア７の間から流出するのを防止するガスケット１４が連結される。
【００５７】
タブ１０は、その背面部１７において、モータ４０の配置される部分１８以外に、後方に拡張されたタブ拡張部１９が形成される。
【００５８】
タブ拡張部１９は、後述するドラム拡張部２５との衝突を最小化するとともに、タブ１０の背面部１７の強度を高めるためのもので、タブ１０の背面部１７に段差形成される。
【００５９】
一方、タブ１０は、前面に開口穴１１が形成され、後面が開口されたフロントタブ１０Ａと、フロントタブ１０Ａの後方にねじで結合され、前面が開口されたバックタブ１０Ｂとで構成され、タブ拡張部１９は、バックタブ１０Ｂの背面部１７が後方から凹入されるような形で形成される。
【００６０】
フロントタブ１０Ａとバックタブ１０Ｂは、プラスチック射出物からなる。
【００６１】
ドラム２０は、タブ１０の内部に水平または所定角度傾斜して配置される円筒のもので、前面側中央に布ｍまたは洗濯水ｗが出入する開口穴２１が形成され、周面または背面には洗濯水ｗが出入する通穴２２が形成され、内周面には布ｍが持ち上げられてから落下するように布ｍをくみ上げるリフタ２３が取り付けられる。
【００６２】
このドラム２０は、ステンレスなどの金属材質からなる。
【００６３】
ドラム２０は、ドラム２０の背面部を構成するドラムバック２５と、ドラムバック２５の縁部に後端が結合されてドラム２０の周面部を構成し、リフタ２３が装着されるドラムセンタ２８と、ドラムセンタ２８の先端に結合されてドラム２０の前面部を構成し、開口穴２１が形成されたドラムフロント２９と、で構成され、ドラム拡張部２６は、ドラムバック２５が後方から凹入されるような形で形成される。
【００６４】
ドラム２０は、スパイダ３０の配置される部分２４が前方にフォーミング形成される。
【００６５】
すなわち、ドラムバックのスパイダが配置される部分（以下、‘フォーミング部'という。）は、ドラムバック母材を後方に拡張すると同時に、前方に段が付くようにフォーミングすることによって形成される。
【００６６】
フォーミング部２４は、スパイダ３０の形状に対応してフォーミングされるものの、スパイダ３０が挿入されるようにスパイダ３０よりもやや大きく形成される。
【００６７】
フォーミング部２４は、スパイダ３０がドラム２０の背面より突出されないような深さにフォーミングされる。
【００６８】
このドラム２０は、背面部２５において、フォーミング部２４の他に、後方に拡張されたドラム拡張部２６が形成される。
【００６９】
このドラム拡張部２６は、ドラム２０の容積を大きくすると共に、ドラム２０の背面部２５の強度を高め且つ布の摩擦力を増大させるもので、ドラム２０の背面部２５に複数個形成されることが好ましい。
【００７０】
もちろん、ドラム拡張部２６が複数個形成されるのは、スパイダの脚部の数に対応してフォーミング部が形成されるためである。すなわち、スパイダの隣り合う脚部間にドラム拡張部が形成された場合にドラム拡張部２６が複数個形成されるわけである。
【００７１】
しかしながら、必ずしもこれに限定されるわけはない。なぜなら、図１には、フォーミング部２４がドラムセンタ２８の内側までフォーミングして形成されたが、フォーミングされる深さを縮めると、全体的に一つのドラム拡張部が形成されることもできる。すなわち、この場合、ドラムセンタ２８の後方でドラムバック２５が形成される全ての空間をドラム拡張部と見なしても良い。
【００７２】
スパイダ３０は、回転軸５０の先端が固定されるハブ部３１と、ハブ部３１から出され、ドラム２０、特に、ドラムバック２５にスクリュなどの締結手段で固定される複数個の脚部３２，３３，３４とで構成され、ドラムバック２５の後方からフォーミング部２４の内側に挿入されて装着される。
【００７３】
モータ４０は、タブ１０の背面の中央部位１８に固定されるステータ４２と、ステータ４２間に形成された電磁気力によって回転するように配置されたロータ４４とを備えて構成される。
【００７４】
ステータ４２は、タブ１０の後方においてタブ１０の背面中央部位１８にスクリュなどの締結手段で締結される。
【００７５】
ロータ４４には、回転軸５０の後端が結合されるシャフト結合穴４６が形成される。
【００７６】
回転軸５０は、タブ１０の中央に形成された貫通穴１０Ｃを貫通し、一端がスパイダ３０のハブ部３１に固定され、他端がロータ４４の締結穴４６に固定される。
【００７７】
回転軸５０は、タブ１０の貫通穴１０Ｃに設置された複数個の軸受５２に回転自在に支持される。
【００７８】
図１において、参照符号Ａは、ドラム１０に形成されたドラム拡張空間であり、参照符号Ｂは、タブ２０に形成されたタブ拡張空間である。
【００７９】
なお、図１において、参照符号１４は、洗剤の溶解されている洗濯水ｗまたは洗剤の溶解されていない洗濯水ｗをタブ１０の内部に供給する給水装置であり、参照符号１５は、タブ１０中の汚れた洗濯水ｗまたは布ｍから脱水された水を洗濯機の外部に排水する排水装置である。
【００８０】
以下、上記のように構成された本発明の動作について説明する。
【００８１】
まず、図１に示すように、ドア７を開き、ドラム２０の内部に洗濯物ｍを投入すると、洗濯物ｍはドラム２０の内部空間に積載されるが、その一部はドラム拡張空間Ａに積載されるので、このドラム拡張空間Ａ分だけ洗濯物ｍをより多く投入できる。
洗濯すべき洗濯物ｍをドラム２０の内部に投入し終えると、ドア７を閉じ、コントロールパネル８より洗い／すすぎ／脱水などの命令を入力すると、入力された命令によって洗濯機が作動する。
【００８２】
すなわち、洗い行程が入力された場合、給水装置１４は洗濯水をタブ１０の内部に給水し、タブ１０の内側下部に給水された洗濯水はドラム２０の通穴２２を通ってドラム２０の内部に流入し、洗濯物ｍをぬらす。
【００８３】
以降、タブ１０の内側に所定水位まで給水されると、給水装置１４の給水を中断すると共に、モータ４０をオンさせ、回転軸を介してスパイダ３０を回転させる。
【００８４】
スパイダ３０の回転と共にドラム２０が回転し、洗濯物ｍを上側に持ち上げてから落下させ、洗濯物ｍの汚れは水と洗剤の作用によって落とされる。
【００８５】
このような洗い行程が所定時間行われると、モータ３０をオフさせると共に排水装置１５を作動させ、汚染された洗濯水を外部に排水する。
【００８６】
以降、すすぎ行程が入力されると、洗い行程時と同様に、給水装置を作動させ、モータ４０をオン／オフさせ、排水装置を作動させることで、洗濯物についた洗剤を除去する。続いて、脱水行程が入力されると、モータ４０を高速に作動させ、洗濯物ｍに残った水分を高速に遠心脱水させる。
【００８７】
一方、上記のような洗い・すすぎ・脱水中に、洗濯物ｍが偏心される等の理由からドラム２０が過振動すると、ドラム２０の中でも特にドラム拡張部２６がタブ１０の背面部１７側に近付き、衝突の可能性が高まるが、タブ１０にもタブ拡張部１９及びタブ拡張空間Ｂが設けられているため、衝突が全く発生しない、または、衝突が発生するとしても回数は最小限に抑えられる。
【００８８】
以下、図３乃至図１０を参照しつつ、本発明の好適な他の実施例について説明する。
【００８９】
図３は、本発明の他の実施例によるドラム洗濯機の内部構成を示す断面図であり、図４は、図４のドラム、リフタ及びスパイダを示す断面図であり、図５及び図６は、図４の参考斜視図である。
【００９０】
なお、図７は、図４のドラムバックのみを示すもので、図５とは異なる角度から見た斜視図であり、図８は、図４のリフタを示す斜視図であり、図９は、図３のキャビネット後面に装着されるバックカバーを示す斜視図である。
【００９１】
本発明の他の実施例によれば、キャビネット２０に支持され、一定角度傾斜して設置されるタブ１００と、タブの内側に回転可能に設置され、ドラムフロント２９０、ドラムセンタ２８０及びドラムバック２７０で構成されるドラム２００と、ドラムバック２７０の背面に装着されたスパイダ３００と、タブの背面に装着された直結式モータと、を備えて構成される。
【００９２】
なお、ドラムバック２７０は全体的には鉢形状に形成され、底面のスパイダ対応領域が前方に凹んで形成され、スパイダ３００がドラムバック２７０の外側に突出しないようになっている。
【００９３】
一方、ここで、ドラムバックは、円筒形状のドラムセンタの一側開口部と連結されてドラムの背面を形成する。したがって、ドラムの背面はドラムバックの背面を意味する。
【００９４】
そして、スパイダの装着されるドラムバック部分は、全体的にドラムセンタとスパイダとの間の間隔を減らすためにドラム内側に凹んで形成される。これは、全体的なドラム洗濯機の前後幅は固定されることを前提とし、よって、ドラムセンタとスパイダとの間隔も所定長さに固定しなければならないためである。
【００９５】
したがって、ドラムバック２７０は全体的に鉢形状にドラム拡張部を形成し、スパイダの装着部分は、このようなドラム拡張部の拡張領域を一定部分減少させることになる。
【００９６】
ここで、ドラムバック２７０を鉢形状にするのは、ドラム拡張部を最大限にするためである。したがって、ドラムセンタの内径とドラムセンタの一側開口部につながるドラムバック縁部の内径はほぼ同一であることが好ましい。
【００９７】
なお、ドラムバック縁部は、ドラムの中心軸と平行な所定長さの直線部を含むことが好ましい。もちろん、ドラムバック縁部とドラムバック背面はラウンド状につなぐことが好ましい。
【００９８】
ここで、ドラム２００はステンレス材質（例；ＳＴＳ、ＳＧＣＣ、ＳＧＣＨ、ＳＦＣＨ、ＳＥＣＣ）からなり、ドラムフロント２９０及びドラムセンタ２８０の厚さは０．５ｍｍとし、ドラムバック２７０の厚さは１ｍｍとする。
【００９９】
なお、ドラムバックの深さｄとドラムバックの直径Ｄとの比率（ｄ／Ｄ）は、０．０８〜０．２とする。
【０１００】
また、ドラムバックの深さｄとドラムセンタの長さＬ２との比率は、０．１８〜０．３６とし、ドラムフロントの長さＬ１：ドラムセンタの長さＬ２：ドラムバックの深さｄ（Ｌ１：Ｌ２：ｄ）は、１：８．３：１．５〜１：９．７：２．７とする。
【０１０１】
一方、ドラムフロント２９０はリング状にし、最小直径を持つドラムの開口部入口が最大直径を持つ外周縁よりも前方に位置し、この開口部入口と外周縁をつなぐ傾斜面上には、前方に凹入されたフォーミング部２９０ａが備えられる。すなわち、傾斜面上にドラムフロント拡張部２９０ａが備えられることによって全体的にドラム容量を増加させる。
【０１０２】
また、ドラム２００の内側にはリフタ２３０が備えられ、このリフタ２３０は、平面上で見ると、前方部が相対的に狭く、後方部に行くほど広くなる全体的に三角形状に形成される。
【０１０３】
また、リフタは、前方から後方に至る中心部に沿って形成され、その幅が下部面の幅よりも狭い形態に下部面に対して突出して形成されるボール設置部２３０ａと、このボール設置部両側の凹入部後方側に形成され、下部面からボール設置部上面に続くＳ字状の勾配面２３０ｂと、ボール設置部上に回転自在に設置されるボール２３１と、ボール設置部上に形成される洗濯水出入穴２３０ｃとを備えてなる。
【０１０４】
勾配面２３０ｂは、ドラム回転時に落下する洗濯物が勾配面に沿ってドラム前方側に移動するように導き、洗濯物がドラム後方に集まる現象を緩和させる機能を担う。したがって、本発明のリフタ２３０は、凹入部及び勾配面の存在によって、ドラム内の空間を確保するとともに、洗濯物を案内しアンバランスを解消する効果を同時に奏することができる。
【０１０５】
一方、キャビネット２０の後面には、ドラム２００後方への接近のための接近口を閉鎖するバックカバー６００が備えられるが、このバックカバー６００の上部領域にはバックカバー面積を両分した面積の５０％以上の面積にわたってドラム後方に突出されるフォーミング部６００ａが備えられる。すなわち、フォーミング部６００ａは、従来に比べて顕著に広い面積を持つことになる。
【０１０６】
一方、バックカバー６００には、キャビネット２０後面への締結に必要な締結穴及び支持爪などが備えられる。
【０１０７】
そして、タブ後壁部には、本出願人による特許出願（大韓民国特許出願第１０−２００３−００８６８４１号明細書）に開示された、円周方向に沿って蛇腹構造に形成された金属材質の軸受ハウジングＢＨが設置される。
【０１０８】
上記のように構成されたドラム洗濯機用ドラム２００において、大容量のドラム洗濯機の洗濯容量拡張と関連し、ドラムフロント２９０やドラムセンタ２８０側をなす金属母材の厚さは０．５ｍｍ、ドラムバック２７０側をなす金属母材の厚さは１ｍｍとなるように構成されるべきであるが、その意味は次の通りである。
【０１０９】
まず、金属母材（ＳＴＳ、ＳＧＣＣ、ＳＧＣＨ、ＳＦＣＨ、ＳＥＣＣ）の厚さが０．５ｍｍよりも小さいと、ドラムフロント２９０の成形時に金属材が裂けるという問題につながる恐れがある。
【０１１０】
のみならず、厚さが０．５ｍｍよりも小さいと、洗濯や乾燥中に衣類の金属性ボタンなどがドラムセンタ２８０にぶつかる場合、騒音が大きくなってしまう。
【０１１１】
一方、ドラムバック２７０の厚さが厚い場合、材料費が上昇し、製造面では洗濯容量を拡張するための成形時にプレス圧が大きくならねばならない他、重さの増加によってドラム２００の組み立てがより難しくなる。また、重さの増加分だけ、ドラム２００を支持するドラム２００とスパイダ３００の締結部位、及び、スパイダ３００に結合されるモータ軸にも大きい荷重がかかってしまう。
【０１１２】
したがって、本発明のドラム洗濯機用ドラム２００は、上記の問題点を解消できるように、金属母材の厚さを、ドラムフロント２９０及びドラムセンタ２８０側では０．５ｍｍにし、ドラムバック２７０側では１ｍｍにしなければならない。この０．５ｍｍ及び１ｍｍという数値には当業界で認定される誤差範囲が考慮されていることはもちろんである。
【０１１３】
次に、ドラムセンタ２８０の直径とドラムバック２７０の深さとの比率が持つ意味について説明する。
【０１１４】
本発明のようにドラムバック２７０をプレスして深絞り（ｄｅｅｐ  ｄｒａｗｉｎｇ）がなされるように作製する場合、金属母材の厚さは、成形に相当な影響を及ぼす。すなわち、プレシングは金属材の軟性を用いるがために、金属母材が薄いと、ドラムバック２７０の内側空間が拡張されるような所望の形態にすることができない。
【０１１５】
一方、限定された大きさのキャビネット内部でドラム２００の容積を増加させなければならないという点と、ドラム２００をなすパートのうち、既存製品との共用化（例；洗濯容量１３ｋｇのドラム洗濯機との共用化）のためのパートであるドラムセンタ２８０の長さと、洗濯容量（例；洗濯容量１５ｋｇのドラム洗濯機）を増加させるために改善されるパートであるドラムバック２７０の拡張深さとの相互連関性を考慮すると、ドラムバック２７０は一定深さ以上に拡張される必要はあるものの、強度維持のために所定の深さを超過してはならない。
【０１１６】
このため、本発明は、数多くの実験によって最適化され、ドラムバック２７０を最大深さに拡張しながらも強度を維持できる大容量ドラム洗濯機用ドラム構造を提供する。
【０１１７】
これを満足させる範囲として、本発明は、ドラムバック２７０の深さｄとドラムバックの直径との比率（ｄ／Ｄ）は０．０８〜０．２を提示する。こうすると、金属母材が裂けるのを防止しながら所望の強度を確保可能になる。
【０１１８】
また、ドラムバック２７０の深さｄとドラムセンタの長さＬ２との比率（ｄ／Ｌ２）としては０．１８〜０．３６を提示し、安定化を図り、また、ドラムフロント２９０の長さＬ１：ドラムセンタ２８０の長さＬ２：ドラムバック２７０の深さｄ（Ｌ１：Ｌ２：ｄ）は、１：８．３：１．５〜１：９．７：２．７とする。
【０１１９】
すなわち、本発明の好適な実施例では、ドラムフロント２９０及びドラムセンタ用金属母材（ＳＴＳ）の厚さは０．５ｍｍ、ドラムバック２７０は１ｍｍとし、また、ドラムセンタの内径は５６０ｍｍ、ドラムフロント２９０の長さは３６ｍｍ、ドラムセンタ２８０の長さは３２８〜３３７ｍｍ、ドラムバックの最大深さは８０ｍｍとなる。
【０１２０】
一方、上記の実施例に限定されず、フォーミング部２４，２４０、ドラム拡張部２６またはタブ拡張部１９を２段付けにする、または、フォーミング部２４，２４０やドラム拡張部２６に強度補強ビーズなどが形成されても良い。
【０１２１】
このように構成された本発明のドラム洗濯機は、ドラムフロントにフォーミング部が形成されており、既存のドラムフロントとは違い、前方に拡張された空間を持つことになる。すなわち、円周方向に沿って形成されたフォーミング部領域に追加空間が確保される。
【０１２２】
また、ドラム内側に設置されるリフタの構造改善によってもドラム内に洗濯容量増加のための追加空間が確保されるが、これは、リフタのボール設置部両側の凹入部によって確保される。
【０１２３】
すなわち、ボール設置部両側の凹入した空間分だけ、ドラム内部に追加空間の確保が可能になる。
【０１２４】
特に、従来に比べてドラムバックの深さが増加することによって追加空間が容易に確保され、ドラムの直径が上記の実施例のように５００ｍｍ以上である場合には、小さい深さ増加量が体積面では顕著な増加をもたらす。すなわち、ドラムバック内部の体積は、ドラムバックの断面積に深さｄをかけたものであり、断面積は半径の自乗に円周率をかけたものであり、半径が非常に大きいためドラムバックの深さが少し増加しても実質的には大きい追加空間の確保が可能になるわけである。
【０１２５】
このようにドラムフロント２９０、リフタ２３０、及びドラムバック２７０などから確保された追加空間によって、本発明のドラム洗濯機は外観サイズの増加なしでも既存の大容量洗濯機に比べてより大きい洗濯容量を確保可能である。
【０１２６】
一方、ドラム洗濯機の外観のうち深さ部分においては、トッププレート９の洗濯機前後方向への長さが実質的な深さになるが、トッププレートは、キャビネットにトッププレートを結合させるブラケット締結のために一定寸法だけキャビネット後面よりも後方に突出する形態で設置される（図１参照）。
【０１２７】
したがって、ドラムバックの深さを増加させた時、たとえキャビネット内側にはドラム、タブ及びモータが後方に拡張される余裕空間がなく、キャビネットとモータとの干渉を避けるためにキャビネット後面が後方に拡張されるとしても、拡張されるキャビネット後面がトッププレート後方を越えないと、ドラム洗濯機の全体的な外観サイズに変化はない。
【０１２８】
一方、上記の実施例のようにドラムフロント、リフタ、ドラムバックなどのそれぞれにおける追加空間確保によって洗濯容量を増やすことが最も好ましいが、前述したように、トッププレートのキャビネット後方への突出によってキャビネットが後方に拡張される余裕があるので、実質的にはドラムバックの深さを増やすたけでもドラム洗濯機の製品外観サイズの変化なしに洗濯容量を増やすことができる。
【０１２９】
以下、ドラム、特に、ドラムバック２７０の製造過程について、図１０を参照しつつ説明する。
【０１３０】
図１０は、本発明の他の実施例によるドラムバックの製造過程を工程順に示す断面図である。同図において、まず、金属板材である母材（Ｍ）を用意した後、母材をプレス加工して全体的に鉢形状にする。このとき、底面の一定領域が前方に凹入されるようにフォーミングする段階を行う。
【０１３１】
続いて、ドラムバック２７０をなす成形部以外の部分を除去するトリミング（ｔｒｉｍｍｉｎｇ）段階を行い、底面の前方に凹入された部分以外の領域に複数個の穴２７０ａを形成するピアシング（ｐｉｅｒｃｉｎｇ）段階を行う。
【０１３２】
この時、トリミング段階とピアシング段階は同時に行われることが好ましい。
【０１３３】
そして、ピアシング段階では、底面の前方に凹入された部分に所定個数の締結穴が共に形成される。
【０１３４】
一方、上記で凹入された部分以外の領域に形成される穴の直径は３ｍｍとする。
【０１３５】
トリミング及びピアシングの後に、ドラムバックに残留するバー（ｂｕｒｒ）を除去する。上記の過程で成形されたドラムバック２７０の内径は５００〜６００ｍｍとなる。
【図面の簡単な説明】
【０１３６】
【図１】本発明の一実施例によるドラム洗濯機の内部構成を示す断面図である。
【図２】図１に示すドラム及びタブを示す分解斜視図である。
【図３】本発明の他の実施例によるドラム洗濯機の内部構成を示す断面図である。
【図４】図３のドラム、リフタ及びスパイダを示す断面図である。
【図５】図４の参考斜視図である。
【図６】図４の参考斜視図である。
【図７】図４のドラムバックのみを示す斜視図で、図５とは異なる角度から見た斜視図である。
【図８】図４のリフタを示す斜視図である。
【図９】図３のキャビネット背面に装着されるバックカバーを示す斜視図である。
【図１０】本発明の他の実施例によるドラムバックの製造過程を説明するためのもので、工程順に示す断面図である。
【図１】
2009506797.tif 000003
【図２】
2009506797.tif 000004
【図３】
2009506797.tif 000005
【図４】
2009506797.tif 000006
【図５】
2009506797.tif 000007
【図６】
2009506797.tif 000008
【図７】
2009506797.tif 000009
【図８】
2009506797.tif 000010
【図９】
2009506797.tif 000011
【図１０】
2009506797.tif 000012
【国際調査報告】
2009506797.tif 000013
2009506797.tif 000014
2009506797.tif 000015